(57)【要約】【課題】セメントには６価クロムが含有されており、当該セメントを利用して製造された生コンクリートを搬送したアジテータ車にはその洗浄水に有毒な６価クロムが残留するという課題があった。【解決手段】本発明は、洗浄水中の６価クロムを無毒の０〜３価の無害なクロムにキレート効果することを目的とするもので、生コンクリート関連の機材を洗浄にした後に排出される洗浄水中の６価クロムをキレート効果するためのグルコン酸ナトリウムを主成分とする６価クロムのキレート効果剤である。【選択図】図２
2011110930.tif 000002
【特許請求の範囲】
【請求項１】
生コンクリート関連の機材を洗浄にした後に排出される洗浄水中の６価クロムをキレート効果するためのグルコン酸ナトリウムを主成分とする６価クロムのキレート効果剤。
【請求項２】
生コンクリートを排出後のアジテータ車の回転ドラム内に請求項１記載の６価クロムのキレート効果剤を投入することにより、前記回転ドラム内の洗浄水中の６価クロムをキレート効果する６価クロムのキレート効果方法。
【請求項３】
生コンクリート関連の機材を洗浄にした後に排出される洗浄水中の６価クロムをキレート効果するためのグルコン酸ナトリウムを主成分とする薬剤が、タブレット状に成形されている６価クロムのキレート効果剤。
【請求項４】
生コンクリートを排出後のアジテータ車の回転ドラム内に請求項３記載の６価クロムのキレート効果剤を投入することにより、前記回転ドラム内の洗浄水中の６価クロムをキレート効果する６価クロムのキレート効果方法。
【請求項５】
生コンクリート関連の機材を洗浄するための洗浄水であって、６価クロムをキレート効果するためのグルコン酸ナトリウムを主成分とする６価クロムのキレート効果剤が含有されていることを特徴とする洗浄水。
【請求項６】
生コンクリートに接触した機材を、６価クロムをキレート効果するためのグルコン酸ナトリウムを主成分とする６価クロムのキレート効果剤が含有されている洗浄水にて洗浄する生コンクリート関連の機材の洗浄方法。
【請求項７】
グルコン酸ナトリウムは３５重量％以上含有される請求項１または請求項３記載の６価クロムのキレート効果剤。
【請求項８】
生コンクリート関連の機材を洗浄した後に排出される洗浄水中６価クロムをキレート効果するための、透水性の袋体と、当該袋体内に挿入されている保持部材とからなり、当該保持部材には吸水性樹脂とグルコン酸ナトリウムを主成分とする６価クロムのキレート効果剤が保持されている６価クロムのキレート効果体。
【請求項９】
保持部材は２枚の透水性保持シートが積層されることによって形成され、一方の透水性保持シートの表面には吸水性樹脂が保持され、他方の水性保持シートの表面には６価クロムのキレート効果剤が保持されている請求項８記載の６価クロムのキレート効果体。
【請求項１０】
生コンクリートの打設後にコンクリート表面に残留するブリーディング水を請求項８もしくは請求項９記載の６価クロムのキレート効果体に吸収させて６価クロムをキレート効果する６価クロムのキレート効果方法。
【請求項１１】
生コンクリートの打設後に型枠外に漏出するブリーディング水を請求項８もしくは請求項９記載の６価クロムのキレート効果体に吸収させて６価クロムをキレート効果する６価クロムのキレート効果方法。
【発明の詳細な説明】
【技術分野】
【０００１】  本発明は、生コンクリート関連の機材（アジテータ車の回転ドラムや排出口など）を洗浄にした後に排出される洗浄水や、打設後のコンクリートから滲出するブリーディング水に含有される６価クロムをキレート効果するキレート効果剤およびキレート効果方法に関するものである。
【背景技術】
【０００２】  コンクリートの原料であるセメントの製造過程において６価クロムなどの各種の重金属が反応性の高い状態で含有されており、これら反応性の高い重金属はコンクリート中に封入されているが、外部に漏出する虞もある（土木学会  平成１７年３月２５日第１版第２印刷発行「コンクリートからの微量成分溶出に関する現状と課題」の第４１ページないし４５ページ参照）。【０００３】  例えば、生コンクリートを排出後のアジテータ車（コンクリートミキサー車とも称される）の回転ドラム内部や排出口を洗浄した後の洗浄剤には、反応性の高い重金属である６価クロムが含有されている。【０００４】  生コンクリートは、工場でセメントと砂利などの骨材と水、混和剤などが混練されて製造され、当該生コンクリートはアジテータ車の回転ドラム内で各原料が分離しないように混練されつつ搬送され、固化する前に施工現場に到着して打設される。【０００５】  アジテータ車の回転ドラムから排出された生コンクリートは、シュートや搬送パイプ等の機材を通過した後に施工現場の型枠内に投入され打設される。【０００６】  そして、生コンクリートが打設された後は、洗浄水によって機材に付着している生コンクリートが洗浄される。【０００７】  アジテータ車の場合には、生コンクリートを排出後の回転ドラムに洗浄水を投入し回転させつつ生コンクリート製造工場に帰還し、新たな生コンクリートが投入される前に前記洗浄水は廃棄されることになる。【０００８】  上記の場合、いずれも洗浄水には生コンクリートから排出された６価クロムが含有されているので、これを除去するかもしくは反応性の低い０〜３価の無害なクロムにキレート効果することが望まれ、これを実現するために特許文献１や特許文献２に開示されている方法がある。【０００９】特許文献１の方法によれば、水溶性カプセル中に収納した塩化バリウムとセメント、水などを混練することにより、混練物を固化する取り扱い上の制約をうけることなく６価クロムの溶出防止が可能となる。【００１０】  しかしながら、この方法では多数の水溶性のカプセルを必要とすることから、キレート効果洗浄水の製造が煩雑になる上に、水溶性カプセルが水に溶解するのに時間がかかるため、迅速性が要求される生コンクリート洗浄後の排水処理への適正に欠けることになる。【００１１】  また、特許文献２の方法によれば、亜硫酸ソーダ水溶液、重亜硫酸ソーダ水溶液または亜硫酸カルシウム水溶液のいずれかを含浸させた人口ゼオライトからなる溶出抑制材を地盤強化等に用いられるセメントに添加し、軟弱地盤のヘドロと混合して地盤強化を図り、強化地盤のセメントから６価クロム成分が溶出することを防ぐことができる。【００１２】  しかしながら、この方法では、亜硫酸ソーダ水溶液、重亜硫酸ソーダ水溶液または亜硫酸カルシウム水溶液のいずれかを含浸させた人口ゼオライトを必要とするので、生コンクリートの洗浄水の排水処理への適正に欠けることになる。【００１３】  なお、重亜硫酸ソーダを洗浄水に添加することもできるが、重亜硫酸ソーダはキレート効果性が強いことから、取り扱いが煩雑である上に、作業現場で必要量を計量しなければならず、作業性の低下をもたらすことになる。【００１４】
【特許文献１】特開平１０−２３５３１６号公報
【特許文献２】特開２００５−１１２７０６号公報
【発明の開示】
【発明が解決しようとする課題】  本発明は上述の問題を解決せんとするもので、生コンクリートを打説する施工現場や、アジテータ車の回転ドラム内に溶出している６価クロムを簡単な手段でキレート効果し反応性を低下させ、無害化することにより、作業性を損なうことなく安全性を高めることを目的とするものである。
【課題を解決するための手段】
【００１５】  第１の発明は、生コンクリート関連の機材を洗浄にした後に排出される洗浄水中の６価クロムをキレート効果するためのグルコン酸ナトリウムを主成分とする６価クロムのキレート効果剤である。【００１６】  本発明においては、生コンクリート関連の機材を洗浄にした後に排出される６価クロムを含有している洗浄水中に、グルコン酸ナトリウムを主成分とする６価クロムのキレート効果剤を投入することにより、前記洗浄水中に溶出している６価クロムはグルコン酸ナトリウムと反応して０〜３価の無害なクロムにキレート効果されて無害化することが可能となる。【００１７】  第２の発明は、生コンクリートを排出後のアジテータ車の回転ドラム内に、前記第１の発明の６価クロムのキレート効果剤を投入することにより、前記回転ドラム内の洗浄水中の６価クロムをキレート効果する６価クロムのキレート効果方法である。【００１８】  本発明においては、生コンクリートを排出後のアジテータ車の回転ドラム内の６価クロムを含有する洗浄水中に、グルコン酸ナトリウムを主成分とする６価クロムのキレート効果剤を投入することにより、前記洗浄水中の６価クロムはグルコン酸ナトリウムと反応して０〜３価の無害なクロムにキレート効果されて無害化することが可能となる。【００１９】  第３の発明は、生コンクリート関連の機材を洗浄にした後に排出される洗浄水中の６価クロムをキレート効果するためのグルコン酸ナトリウムを主成分とする薬剤が、タブレット状に成形されている６価クロムのキレート効果剤である。【００２０】  本発明においては、生コンクリート関連の機材を洗浄にした後に排出される６価クロムを含有している洗浄水中に、グルコン酸ナトリウムを主成分とするタブレット状の６価クロムのキレート効果剤を投入することにより、前記洗浄水中に溶出している６価クロムはグルコン酸ナトリウムと反応して０〜３価の無害なクロムにキレート効果されることが可能となる。【００２１】  第４の発明は、生コンクリートを排出後のアジテータ車の回転ドラム内に前記第３の発明の６価クロムのキレート効果剤を投入することにより、前記回転ドラム内の洗浄水中の６価クロムをキレート効果する６価クロムのキレート効果方法である。【００２２】  本発明においては、生コンクリートを排出後のアジテータ車の回転ドラム内の６価クロムを含有する洗浄水中に、グルコン酸ナトリウムを主成分とするタブレット状の６価クロムのキレート効果剤を投入することにより、前記洗浄水中の６価クロムはグルコン酸ナトリウムと反応して０〜３価の無害なクロムにキレート効果されることが可能となる。【００２３】  第５の発明は、生コンクリート関連の機材を洗浄するための洗浄水であって、６価クロムをキレート効果するためのグルコン酸ナトリウムを主成分とする６価クロムのキレート効果剤が含有されていることを特徴とする洗浄水である。【００２４】  本発明においては、生コンクリートに接触した機材を、６価クロムをキレート効果するためのグルコン酸ナトリウムを主成分とする６価クロムのキレート効果剤が含有されている洗浄水にて洗浄することにより、洗浄水中の６価クロムはグルコン酸ナトリウムと反応して０〜３価の無害なクロムにキレート効���され、前記洗浄水は無害化されることになる。【００２５】  第６の発明は、生コンクリートに接触した機材を、６価クロムをキレート効果するためのグルコン酸ナトリウムを主成分とする６価クロムのキレート効果剤が含有されている洗浄水にて洗浄する生コンクリート関連の機材の洗浄方法である。【００２６】  この発明においても、生コンクリートに接触した機材を、６価クロムをキレート効果するためのグルコン酸ナトリウムを主成分とする６価クロムのキレート効果剤が含有されている洗浄水にて洗浄することにより、洗浄水中の６価クロムはグルコン酸ナトリウムと反応して０〜３価の無害なクロムにキレート効果されて、前記洗浄水は無害化されることになる。【００２７】  第７の発明は前記第１または第２の発明を前提とし、グルコン酸ナトリウムは３５重量％以上含有される６価クロムのキレート効果剤である。【００２８】  第８の発明は、生コンクリート関連の機材を洗浄した後に排出される洗浄水中６価クロムをキレート効果するための、透水性の袋体と当該袋体内に挿入されている保持部材とからなり、当該保持部材には吸水性樹脂とグルコン酸ナトリウムを主成分とする６価クロムのキレート効果剤が保持されている６価クロムのキレート効果体である。【００２９】  本発明においては、６価クロムを含有する洗浄水が、透水性の袋体を透過し、当該袋体内に挿入されている保持部材に保持されている吸水性樹脂に吸水されると同時にグルコン酸ナトリウムを主成分とする６価クロムのキレート効果剤と反応して当該６価クロムが０〜３価の無害なクロムにキレート効果され、前記洗浄水は無害化されることになる。【００３０】  第９の発明は、前記第８の発明を前提として、保持部材は２枚の透水性保持シートが積層されることによって形成され、一方の透水性保持シートの表面には吸水性樹脂が保持され、他方の水性保持シートの表面には６価クロムのキレート効果剤が保持されている６価クロムのキレート効果体である。【００３１】  この発明においては、洗浄水中の６価クロムは、洗浄水が一方の透水性保持シートに保持されている吸水性樹脂よって吸水されつつ、他方の水性保持シートに保持されているキレート効果剤と反応し、０〜３価の無害なクロムにキレート効果され、前記洗浄水は無害化されることになる。【００３２】  第１０の発明は、生コンクリートの打設後にコンクリート表面に残留するブリーディング水を前記第８もしくは第９の発明の６価クロムのキレート効果体に吸収させて６価クロムをキレート効果する６価クロムのキレート効果方法。【００３３】  本発明においては、生コンクリートの打設後のコンクリート表面に滲出し、そこに残留する６価クロムを含有するブリーディング水上に、前記６価クロムのキレート効果体を載置することによって、ブリーディング水は、前記袋体内に挿入されている保持部材に保持されている吸水性樹脂に吸水されると同時に、グルコン酸ナトリウムを主成分とする６価クロムのキレート効果剤と反応して０〜３価の無害なクロムにキレート効果され、前記洗浄水は無害化されることになる。【００３４】  第１１の発明は、生コンクリートの打設後に型枠外に漏出するブリーディング水を前記第８もしくは第９の発明の６��クロムのキレート効果体に吸収させて６価クロムをキレート効果する６価クロムのキレート効果方法である。【００３５】  本発明においては、生コンクリートの打設後の型枠外に漏出する６価クロムを含有するブリーディング水上に、前記６価クロムのキレート効果体を載置することによって、ブリーディング水は、前記袋体内に挿入されている保持部材に保持されている吸水性樹脂に吸水されると同時に、グルコン酸ナトリウムを主成分とする６価クロムのキレート効果剤と反応して０〜３価の無害なクロムにキレート効果され、前記ブリーディング水は無害化されることになる。
【発明の効果】
【００３６】  第１の発明では、洗浄水中に溶出している６価クロムは、グルコン酸ナトリウムと反応して０〜３価の無害なクロムにキレート効果され、煩雑な作業を伴うことなく簡単に無害化することが可能となる。【００３７】  第２の発明では、生コンクリートを排出後のアジテータ車の回転ドラム内の６価クロムを含有する洗浄水中に、グルコン酸ナトリウムを主成分とする６価クロムのキレート効果剤を投入するだけで、簡単に６価クロムが０〜３価の無害なクロムにキレート効果されることが可能となり、アジテータ車は帰還後直ちにそのまま回転ドラム内の洗浄液を排出することができる。【００３８】  第３の発明では、グルコン酸ナトリウムを主成分とするキレート効果剤はタブレット状を呈しているので、取り扱いが簡単で洗浄水中に容易に投入することができると共に、投入量を容易に制御することができる。【００３９】  第４の発明では、生コンクリートを排出後のアジテータ車の回転ドラム内の６価クロムを含有する洗浄水中に、グルコン酸ナトリウムを主成分とするタブレット状の６価クロムのキレート効果剤を適量数投入することにより、前記洗浄水中の６価クロムはグルコン酸ナトリウムと反応して０〜３価の無害なクロムにキレート効果されて無害化することが可能となり、アジテータ車は帰還後直ちにそのまま回転ドラム内の洗浄液を排出することができる。【００４０】  第５の発明では、生コンクリートに接触した機材を、予め６価クロムをキレート効果するためのグルコン酸ナトリウムを主成分とする６価クロムのキレート効果剤が含有されている洗浄水にて洗浄することにより、洗浄水中の６価クロムはグルコン酸ナトリウムと反応して０〜３価の無害なクロムにキレート効果され、前記洗浄水は無害化されることになので、改めて６価クロムのキレート効果剤を投入することなく簡単に洗浄後の洗浄水を無害化することができる。【００４１】  第６の発明の効果は、前記第５の発明の効果と事実上異なるところはない。【００４２】  第７の発明の効果は、前記第１の発明と事実上異なるところはない。【００４３】  第８の発明では、６価クロムを含有する洗浄水が、透水性の袋体を透過し、当該袋体内に挿入されている保持部材に保持されている吸水性樹脂に吸水されると同時にグルコン酸ナトリウムを主成分とする６価クロムのキレート効果剤と反応して当該６価クロムが０〜３価の無害なクロムにキレート効果され、前記洗浄水は無害化されることになるので、生コンクリートの打設後のコンクリート表面に滲出し、そこに残留する６価クロムを含有するブリーディング水上に、当該発明にかかる６価クロムのキレート効果体を載置することによって、容易に前記ブリーディング水中の６価クロムを無害化することができ、安全性と作業性が同時に向上する。【００４４】  第９の発明では、保持部材は２枚の透水性保持シートが積層されることによって形成され、一方の透水性保持シートの表面には吸水性樹脂が保持され、他方の水性保持シートの表面には６価クロムのキレート効果剤が保持されているので、各々の透水性保持シートを個別に製造し、両シートを積層して透水性の袋体に封入すれば、きわめて容易に６価クロムのキレート効果体を製造することができる。【００４５】  第１０の発明では、生コンクリートの打設後のコンクリート表面に滲出し、そこに残留する６価クロムを含有するブリーディング水上に、前記６価クロムのキレート効果体を載置するだけで、直接ブリーディング水中の６価クロムがキレート効果され０〜３価の無害なクロムにキレート効果されるので、作業者の手をあまり煩わせることなく安全にブリーディング水は無害化されることになる。【００４６】  第１１の発明では、生コンクリートの打設後の型枠外に漏出する６価クロムを含有するブリーディング水上に、前記６価クロムのキレート効果体を載置するだけで直接ブリーディング水中の６価クロムがキレート効果され０〜３価の無害なクロムにキレート効果されるので、作業者の手をあまり煩わせることなく安全に洗浄水は無害化されることになる。
【発明を実施するための最良の形態】
【００４７】  本発明の最良の形態としての、６価クロムのキレート効果剤、６価クロムのキレート効果方法および６価クロムのキレート効果体について以下に説明する。【００４８】  先ず６価クロムのキレート効果剤のタブレットとしては、下記の成分の混合物１００ｇを、発泡入浴剤などの製造過程で実施される周知の圧縮方法にて圧縮して成形する。【００４９】      グルコン酸ナトリウム      ７５．０（重量％）
炭酸水素ナトリウム        １１．０
コハク酸                    ６．０
結合剤                      ３．２
ステアリン酸マグネシウム    １．８
安定剤                      １．０
崩壊剤                      ２．０【００５０】  而して、コンクリート洗浄水５０リットル当たり、前記タブレットを１個投入すると、５分ないし１０分でグルコン酸ナトリウムが溶解してキレート力が発揮されることにより              ２Ｃｒ６＋＋３ＳＯ３３−  →  ２Ｃｒ３＋＋３ＳＯ４２−
洗浄水中の６価クロムは無害な０〜３価の無害なクロムにキレート効果されるので、更にＰＨやＳＳの処理をした後に公共用水域などに排出しても問題はない。【００５１】  なお、６価クロムのキレート効果剤をタブレット状に成形することなく、粉末の状態でも使用することは可能である。【００５２】  この場合は投入分量を細かく設定することができるが、手間がかかり作業が煩雑化する虞がある。【００５３】  また、水道水に予め必要量の６価クロムのキレート効果剤を溶解させた洗浄水で、アジテータ車の回転ドラムや、シュート、搬送パイプ等の機材を洗浄しても、洗浄後の洗浄水中の６価クロムは０〜３価の無害なクロムにキレート効果され無毒化されている。【００５４】  次に図面に従い、６価クロムのキレート効果体の実施例について説明する。【００５５】  図１は６価クロムのキレート効果体１の外観斜視図で、図２は部分拡大断面図である。【００５６】  これらの図において、２は透水性の袋体で、不織布などで形成されており、内部に２枚の透水性保持シート３、４が積層され封入されている。【００５７】  この透水性保持シート３、４はポリエステル繊維の不織布などで形成されている。【００５８】  そして、一方の透水性保持シート４の表面には、吸水性樹脂（小さな×で示す）５としてポリアクリル酸やアクリル酸塩架橋体などの周知のものが接着剤にて接着されており、吸水重量倍率としては５倍ないし３０倍が好ましいが、より好ましくは８倍ないし２５倍である。【００５９】  また、他方の透水性保持シート３の表面には、グルコン酸ナトリウム粉末（小さな○で示す）６がこれも接着剤にて接着されている。【００６０】  上述のようにして構成された６価クロムのキレート効果体１を、生コンクリートの打設後のコンクリート表面に滲出し、そこに残留する６価クロムを含有するブリーディング水上に載置すると、当該ブリーディング水は透水性の袋体２を透過し、更に透水性保持シート３、４を透過して吸水性樹脂５に吸水されると同時にグルコン酸ナトリウム粉末６と反応し、当該ブリーディング水中の６価クロムは無害な０〜３価の無害なクロムにキレート効果されることになる。
【図面の簡単な説明】
【００６１】
【図１】  本発明の実施例の６価クロムのキレート効果体の斜視図である。
【図２】  本発明の実施例の６価クロムのキレート効果体の部分拡大断面図である。
【符号の説明】
【００６２】  １  ６価クロムのキレート効果体
２  袋体
３  透水性保持シート
４  透水性保持シート
５  吸水性樹脂
６  グルコン酸ナトリウム粉末
【図１】
2011110930.tif 000003
【図２】
2011110930.tif 000004